(57)【要約】【課題】医療用具を好適に保持することができ、また、医療用具保持台紙に保持された医療用具をその医療用具保持台紙から取り出す際や、医療用具保持台紙に保持された状態で収納容器に複数個収納された医療用具を医療用具保持台紙ごとその収納容器から取り出す際に、その取り出し作業を容易かつ迅速に行うことができる医療用具保持台紙および医療用具の取り出し方法を提供すること。【解決手段】台紙１は、可撓性を有する長尺なシート材１０で構成され、カテーテル２０のカテーテル本体２０１およびハブ２０２を保持する保持部と、三方活栓２０７を覆うようにシート材１０の長手方向に沿って変形する短冊状の保持部３と、保持部３の先端部が差し込まれ、保持部３が三方活栓２０７を覆った状態を保持するスリット５とを備えている。保持部３の先端部は、カテーテル２０を台紙１から取り出す際に引き抜く方向と反対側に向って折り返される。【選択図】図３
2010029558.tif 000002
【特許請求の範囲】
【請求項１】
可撓性を有する線状部の端部に立体構造をなす構造体が設けられた医療用具を保持し、長尺なシート材で構成された医療用具保持台紙であって、
前記医療用具が載置された状態で、前記構造体を覆うように前記シート材の長手方向に沿って変形する保持部と、
前記保持部の先端部が差し込まれ、前記保持部が前記構造体を覆った状態を保持する被差込部とを備え、
前記保持部の先端部は、前記保持部が前記構造体を覆った状態で、前記被差込部に差し込まれ、前記医療用具を当該医療用具保持台紙から取り出す際に引き抜く方向と反対側に向って折り返されることを特徴とする医療用具保持台紙。
【請求項２】
前記保持部は、前記構造体のほぼ全体を包むものである請求項１に記載の医療用具保持台紙。
【請求項３】
前記保持部の先端部は、前記線状部が挿通可能なように構成されている請求項１または２に記載の医療用具保持台紙。
【請求項４】
前記保持部の先端部には、前記線状部が挿通可能で、前記保持部の先端部の先端に開放した孔が形成されている請求項１ないし３のいずれかに記載の医療用具保持台紙。
【請求項５】
前記保持部は、前記シート材の一部を切り込むことにより形成されたものである請求項１ないし４のいずれかに記載の医療用具保持台紙。
【請求項６】
前記保持部の幅方向の縁部に、該縁部を折り曲げて形成された壁部を有する請求項１ないし４のいずれかに記載の医療用具保持台紙。
【請求項７】
前記保持部は、基端側に開口を有する請求項１ないし６のいずれかに記載の医療用具保持台紙。
【請求項８】
前記保持部は、前記シート材の途中に設けられている請求項１ないし７のいずれかに記載の医療用具保持台紙。
【請求項９】
前記保持部は、前記シート材の長手方向の端部に設けられている請求項１ないし７のいずれかに記載の医療用具保持台紙。
【請求項１０】
前記被差込部は、前記シート材の一部を切り込むことにより形成されたものである請求項１ないし９のいずれかに記載の医療用具保持台紙。
【請求項１１】
前記シート材の少なくとも表面には、樹脂材料で構成された樹脂層が形成されている請求項１ないし１０のいずれかに記載の医療用具保持台紙。
【請求項１２】
前記シート材は、その厚さが０．２０〜０．５５ｍｍのものである請求項１ないし１１のいずれかに記載の医療用具保持台紙。
【請求項１３】
前記保持部は、短冊状である請求項１ないし１２のいずれかに記載の医療用具保持台紙。
【請求項１４】
可撓性を有する線状部の端部に立体構造をなす構造体が設けられた医療用具の前記構造体を覆う保持部と、前記保持部の先端部が差し込まれる被差込部とを備え、前記保持部の先端部は、前記保持部が前記構造体を覆った状態で、前記被差込部に差し込まれ、所定方向に向って折り返されており、前記医療用具を保持した状態で袋状の包装体に収納されている、長尺なシート材で構成された医療用具保持台紙から、前記医療用具を取り出す医療用具の取り出し方法であって、
前記包装体から前記医療用具保持台紙の少なくとも一部を取り出し、前記保持部の先端部が折り返されている方向と反対方向に前記医療用具を引き抜いて、前記医療用具を前記医療用具保持台紙から取り出すことを特徴とする医療用具の取り出し方法。
【発明の詳細な説明】
【技術分野】
【０００１】
本発明は、医療用具保持台紙および医療用具の取り出し方法に関するものである。
【背景技術】
【０００２】
例えばカテーテルのような可撓性を有する長尺な医療用具は、未使用状態では、台紙に保持、固定され、そして、袋状の包装体に包装されて（収納されて）いる（例えば、特許文献１参照）。
【０００３】
特許文献１に記載の台紙は、可撓性を有する長尺なシート材で構成されている。この台紙には、カテーテルの長手方向に沿って、可撓性を有する複数の固定帯と、その固定帯の先端部が挿入される複数の溝孔とが、並設されている。各固定帯は、それぞれ、カテーテルを、そのカテーテル（シート材）の長手方向に対して垂直な方向に巻き込み、対応する溝孔に挿入されており、これによりカテーテルが保持されている。
【０００４】
ところで、カテーテルの基端部に設けられたハブに接続されたチューブの先端部に、例えば、三方活栓等の嵩の高い接続部材（立体構造をなす構造体）が設けられた医療用具を、台紙に保持し、包装体に収納する場合、前記特許文献１に記載の台紙では、下記のような問題がある。
【０００５】
まず、三方活栓が剥き出しになった状態でカテーテルが台紙に保持されるので、その三方活栓により、包装体が損傷してしまうことがあり、また、三方活栓がずれたり、ぐらついたりすることがある。
【０００６】
また、包装されたカテーテルは、１つの箱に、複数個がまとめて収納されることもあるので、その箱から包装されたカテーテルを取り出す際、三方活栓が、隣接する他のカテーテルの三方活栓や所定の部材に引っ掛かり、取り出し難く、また、包装体を損傷してしまうこともある。
【０００７】
【特許文献１】特開２０００−２５５６２７号公報
【発明の開示】
【発明が解決しようとする課題】
【０００８】
本発明の目的は、医療用具を好適に保持することができ、また、医療用具保持台紙に保持された医療用具をその医療用具保持台紙（包装体）から取り出す際や、医療用具保持台紙に保持された状態（包装体に収納された状態）で収納容器に複数個収納された医療用具を医療用具保持台紙（包装体）ごとその収納容器から取り出す際に、その取り出し作業を容易かつ迅速に行うことができる医療用具保持台紙および医療用具の取り出し方法を提供することにある。
【課題を解決するための手段】
【０００９】
このような目的は、下記（１）〜（１４）の本発明により達成される。
（１）  可撓性を有する線状部の端部に立体構造をなす構造体が設けられた医療用具を保持し、長尺なシート材で構成された医療用具保持台紙であって、
前記医療用具が載置された状態で、前記構造体を覆うように前記シート材の長手方向に沿って変形する保持部と、
前記保持部の先端部が差し込まれ、前記保持部が前記構造体を覆った状態を保持する被差込部とを備え、
前記保持部の先端部は、前記保持部が前記構造体を覆った状態で、前記被差込部に差し込まれ、前記医療用具を当該医療用具保持台紙から取り出す際に引き抜く方向と反対側に向って折り返されることを特徴とする医療用具保持台紙。
【００１０】
（２）  前記保持部は、前記構造体のほぼ全体を包むものである上記（１）に記載の医療用具保持台紙。
【００１１】
（３）  前記保持部の先端部は、前記線状部が挿通可能なように構成されている上記（１）または（２）に記載の医療用具保持台紙。
【００１２】
（４）  前記保持部の先端部には、前記線状部が挿通可能で、前記保持部の先端部の先端に開放した孔が形成されている上記（１）ないし（３）のいずれかに記載の医療用具保持台紙。
【００１３】
（５）  前記保持部は、前記シート材の一部を切り込むことにより形成されたものである上記（１）ないし（４）のいずれかに記載の医療用具保持台紙。
【００１４】
（６）  前記保持部の幅方向の縁部に、該縁部を折り曲げて形成された壁部を有する上記（１）ないし（４）のいずれかに記載の医療用具保持台紙。
【００１５】
（７）  前記保持部は、基端側に開口を有する上記（１）ないし（６）のいずれかに記載の医療用具保持台紙。
【００１６】
（８）  前記保持部は、前記シート材の途中に設けられている上記（１）ないし（７）のいずれかに記載の医療用具保持台紙。
【００１７】
（９）  前記保持部は、前記シート材の長手方向の端部に設けられている上記（１）ないし（７）のいずれかに記載の医療用具保持台紙。
【００１８】
（１０）  前記被差込部は、前記シート材の一部を切り込むことにより形成されたものである上記（１）ないし（９）のいずれかに記載の医療用具保持台紙。
【００１９】
（１１）  前記シート材の少なくとも表面には、樹脂材料で構成された樹脂層が形成されている上記（１）ないし（１０）のいずれかに記載の医療用具保持台紙。
【００２０】
（１２）  前記シート材は、その厚さが０．２０〜０．５５ｍｍのものである上記（１）ないし（１１）のいずれかに記載の医療用具保持台紙。
【００２１】
（１３）  前記保持部は、短冊状である上記（１）ないし（１２）のいずれかに記載の医療用具保持台紙。
【００２２】
（１４）  可撓性を有する線状部の端部に立体構造をなす構造体が設けられた医療用具の前記構造体を覆う保持部と、前記保持部の先端部が差し込まれる被差込部とを備え、前記保持部の先端部は、前記保持部が前記構造体を覆った状態で、前記被差込部に差し込まれ、所定方向に向って折り返されており、前記医療用具を保持した状態で袋状の包装体に収納されている、長尺なシート材で構成された医療用具保持台紙から、前記医療用具を取り出す医療用具の取り出し方法であって、
前記包装体から前記医療用具保持台紙の少なくとも一部を取り出し、前記保持部の先端部が折り返されている方向と反対方向に前記医療用具を引き抜いて、前記医療用具を前記医療用具保持台紙から取り出すことを特徴とする医療用具の取り出し方法。
【発明の効果】
【００２３】
本発明によれば、医療用具の可撓性を有する線状部の端部に設けられた構造体を確実に保持することができ、また、保持部が構造体を覆っているので、医療用具が医療用具保持台紙に保持された状態で袋状の包装体に収納されているとき、構造体によって包装体が損傷（破損）してしまうことを防止でき、これにより、医療用具を好適に保持することができ、その医療用具を好適な状態で、搬送、保管することができる。
【００２４】
また、保持部の先端部は、医療用具を医療用具保持台紙から取り出す際に引き抜く方向と反対側に向って折り返されているので（医療用具を医療用具保持台紙から取り出す際、保持部の先端部が折り返されている方向と反対方向に引き抜くので）、医療用具保持台紙に保持された医療用具、すなわち、医療用具保持台紙に保持され、包装体に収納された医療用具をその医療用具保持台紙から取り出す際、保持部の先端部が包装体に引っ掛かってしまうことを防止でき、これにより、保持部の先端部が被差込部から円滑かつ確実に抜け、その取り出し作業を容易かつ迅速に行うことができる。
【００２５】
保持部は、医療用具を医療用具保持台紙から取り出す際に引き抜く方向に沿って折り曲げられ覆っているため（保持部は、医療用具保持台紙の長手方向に沿って折り曲げられて構造体を覆っているため）、包装体から包装体に収納された医療用具と医療用具保持台紙を取り出す際、保持部の頂点（保持部が構造体を覆うときに医療用具保持台紙から最も高さのある部位）付近の側面が包装体の内表面と引っ掛かってしまうことを防止できる。
【００２６】
また、医療用具保持台紙に保持された状態、すなわち、医療用具保持台紙に保持され、包装体に収納された状態で収納容器に複数個収納された医療用具を包装体ごとその収納容器から取り出す際に、保持部により、隣接する他の医療用具の構造体や所定の部材に構造体が引っ掛かってしまうことを防止でき、その取り出し作業を容易かつ迅速に行うことができる。
【発明を実施するための最良の形態】
【００２７】
以下、本発明の医療用具保持台紙および医療用具の取り出し方法を添付図面に示す好適な実施形態に基づいて詳細に説明する。
【００２８】
＜第１実施形態＞
図１は、本発明の医療用具保持台紙の第１実施形態を示す展開図（平面図）、図２は、図１に示す医療用具保持台紙の保持部の近傍を示す展開図（平面図）、図３は、図１に示す医療用具保持台紙の使用状態を示す平面図、図４は、図１に示す医療用具保持台紙の使用状態であって、保持部の近傍を示す側面図である。
【００２９】
なお、以下では、説明の都合上、図１〜図４中の右側を「先端」、左側を「基端」と言う。また、図１〜図３中の紙面手前側（表）を「表」、紙面奥側（裏）を「裏」と言い、図４中の上側を「表」、下側を「裏」と言う。
【００３０】
また、図２中の破線は谷折りをする部分を示し、実線は、切り込まれた部分を示す。
また、図１および図２中の斜線が施されている部分は、貫通した孔（開口）を示している。
【００３１】
図１〜図４に示す医療用具保持台紙（以下単に「台紙」と言う）１は、未使用状態のカテーテル（医療用具）２０を保持することができるものである。以下、台紙１がカテーテル２０を保持した状態を「保持状態」と言う。台紙１は、この保持状態で、カテーテル２０ごと（とともに）包装体（袋体）３０に収納される（図３参照）。この図３に示す状態のものを「カテーテルセット（医療用具セット）１００」と言う。
【００３２】
台紙１について説明する前に、カテーテル２０および包装体３０について、それぞれ説明する。
【００３３】
まず、カテーテル２０について説明する。
図３および図４に示すように、カテーテル２０は、可撓性を有するカテーテル本体（線状部）（長尺部）２０１と、カテーテル本体２０１の基端部に設けられたハブ２０２と、カテーテル本体２０１の基端側、すなわち、ハブ２０２に接続された可撓性を有するチューブ（線状部）２０６と、チューブ２０６の先端部に設けられた三方活栓（接続部材）（立体構造をなす構造体）２０７とを備えている。
【００３４】
カテーテル本体２０１は、長尺なチューブ（中空管）で構成されている。
カテーテル本体２０１の基端部には、硬質樹脂材料で構成されたハブ２０２が固定（接続）されている。このハブ２０２は、カテーテル本体２０１よりも外径および内径が大きい筒体で構成され、その内腔がカテーテル本体２０１の内腔と連通している。また、ハブ２０２の側部には、その内腔に連通する内腔を有するポート部２０２１が形成されている。
【００３５】
また、ハブ２０２のポート部２０２１には、その内腔に連通するように、可撓性を有する長尺なチューブ（中空管）２０６の基端部（長手方向の一方の端部）が固定（接続）されている。そして、チューブ２０６の先端部（長手方向の他方の端部）には、所定の部材（医療用具）を着脱自在に接続し得る接続部材（立体構造をなす構造体）として、硬質樹脂材料で構成された三方活栓２０７が、チューブ２０６の内腔に連通するように固定（接続）されている。
【００３６】
なお、図示の構成では、チューブ２０６の基端部は、ハブ２０２に固着されているが、これに限らず、例えば、ハブ２０２に対し、着脱自在に接続されるようになっていてもよい。
【００３７】
また、接続部材としては、所定の部材を接続し得るもの（手段）であれば、三方活栓に限らず、その他、例えば、Ｙ字管、Ｔ字管、ト字管等の分岐コネクタ、ハブ等が挙げられる。
【００３８】
カテーテル本体２０１の構成材料としては、特に限定されないが、例えば、スチレン系、ポリオレフィン系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらのうちの１種または２種以上を組合せたもの（ポリマーアロイ、ポリマーブレンド、積層体等）を用いることができる。
【００３９】
次に、包装体３０について説明する。
図３および図４に示すように、包装体３０は、長尺な袋状をなすものであり、保持状態の台紙１の全体を収納するのに十分な程度の大きさを有している。この包装体３０は、例えばポリエチレンやポリ塩化ビニルのような軟質樹脂製の可撓性を有するシート材を重ね、その基端部を除く周縁を融着（熱融着、高周波融着等）または接着し、袋状としたものである。なお、包装体３０の両面のうちの一方を、例えば、紙材、織布、不織布等で構成することもできる。
【００４０】
包装体３０の先端部（長手方向の一方の端部）は、保持状態の台紙１を包装体３０に挿入するまでは、融着や接着がなされず、開口部となっており、保持状態の台紙１を包装体３０に挿入する際の挿入口として使用され、台紙１を包装体３０に挿入した後に、融着または接着され、封止される。また、包装体３０の基端部（長手方向の他方の端部）は、その融着または接着された部位を剥離して開口部を形成することで、包装体３０に収納されている台紙１からカテーテル２０を取り出す際の取出口として使用される。
【００４１】
また、包装体３０は、内部の視認性を確保するために、少なくとも表側が実質的に透明であるのが好ましい。例えば、包装体３０は、エチレンオキサイドガス（ＥＯＧ）滅菌に供するために、包装体３０の一面（表側）を実質的に透明な樹脂製シートで形成し（構成し）、他面（裏側）をガス透過性不織布（例えばタイベック（登録商標））等で形成することができる。
【００４２】
次に、台紙１について説明する。
図１〜図４に示すように、台紙１は、可撓性を有する長尺なシート材１０で構成されたものである。この台紙１は、図１に示す展開状態のシート材１０を、図３および図４に示すように所定部位を折り曲げる等、変形（屈曲、湾曲）させた状態（曲げた状態）で用いられる。
【００４３】
なお、シート材１０の構成材料としては、特に限定されないが、例えば、上質紙、中質紙、クラフト紙、片艶クラフト紙、更クラフト紙、表面コート紙等の種々の紙材が挙げられ、この紙材を１枚または複数枚積層して（重ねて）使用する。
【００４４】
このようなシート材１０で構成された台紙１は、カテーテル２０が載置される長尺な本体部１１と、カテーテル２０のカテーテル本体２０１およびハブ２０２を保持する保持部２と、保持部２と異なる位置に設けられ、三方活栓２０７を保持する保持部３とを備えている。
【００４５】
保持部２は、台紙１（シート材１０）の幅方向（図１〜図３中の上下方向）（長手方向に対して垂直な方向）の図１〜図３中上側（一方の端部）寄りに位置している。
【００４６】
この保持部２は、８つのタブ４ａ、４ｂ、４ｃ、４ｄ、４ｅ、４ｆ、４ｇ、４ｈを有している。
【００４７】
図１に示すように、これらのタブ４ａ〜４ｈは、台紙１（シート材１０）の長手方向（図１〜図４中の左右方向）に沿って配置されており、図３に示すように、本体部１１との間でカテーテル本体２０１を挟持することができる。これにより、保持部２でカテーテル本体２０１を確実に保持することができる。
【００４８】
また、４ａ〜４ｈのうち、タブ４ａ〜４ｄは、図１中下側に向かって突出しており、タブ４ｅ〜４ｈは、図１中上側に向かって突出している。また、タブ４ａ〜４ｄとタブ４ｅ〜４ｈとは、互いに交互に配置さている。このような構成により、保持部２にあるカテーテル２０のカテーテル本体２０１が図３中上下方向にズレた（移動した）としても、カテーテル本体２０１が４ａ〜４ｈから離脱するのが防止される。
【００４９】
さらに、図３に示すように、保持部２では、タブ４ａとタブ４ｅとは、カテーテル本体２０１を集中的に（所々で集中して）挟持する１つのタブ対４０を構成している。これと同様に、タブ４ｂとタブ４ｆとが１つのタブ対４０を構成し、タブ４ｃとタブ４ｇとが１つのタブ対４０を構成し、タブ４ｄとタブ４ｈとが１つのタブ対４０を構成している。これにより、カテーテル本体２０１の所定部位（途中の部位）に対する挟持力が増大し、よって、カテーテル本体２０１をより確実に固定することができる。
【００５０】
各タブ４ａ〜４ｈは、それぞれ、シート材１０の一部をＬ字状またはヘ字状（所望の形状）に切り込むことにより形成したものである。これにより、各タブ４ａ〜４ｈをそれぞれ別体で構成するよりも容易に形成することができる。
なお、各タブ４ａ〜４ｈをそれぞれ別体で構成してもよいことは、言うまでもない。
【００５１】
また、保持部２は、シート材１０のタブ４ａおよび４ｅの基端側に形成された開口（孔）２１を有している。図３に示すように、開口２１は、その形状が四角形（長尺状）をなし、カテーテル２０のハブ２０２が挿入される（受け入れられる）部位である。これにより、カテーテル２０のハブ２０２が確実に保持される。
【００５２】
図１〜図４に示すように、保持部２の図１〜図３中の下側（他方の端部側）には、保持部２に隣接して、三方活栓２０７を保持する保持部３が設けられている。このような配置により、カテーテル本体２０１と三方活栓２０７とを並べて保持することができ、よって、カテーテル２０を円滑に取り出ことができる。
【００５３】
図１および図２に示すように、保持部３は、変形前は、短冊状をなし、その長手方向と、シート材１０（カテーテル本体２０１）の長手方向とが一致している。また、保持部３は、シート材１０の途中、すなわち、シート材１０の長手方向および長手方向に対して垂直な方向のそれぞれの途中に位置している。
【００５４】
この保持部３は、図３および図４に示すように、カテーテル２０が本体部１１に載置された状態で、三方活栓２０７を覆うようにシート材１０（カテーテル本体２０１）の長手方向に沿って変形（湾曲、屈曲等）する。これにより、保持部３で三方活栓２０７を確実に保持することができる。
【００５５】
また、三方活栓２０７は、保持部３上に載置され、その保持部３により、側面側を除き、全体が包まれる（覆われる）。すなわち、シート材１０（カテーテル本体２０１）の長手方向に沿って、三方活栓２０７の全体が包まれる。これにより、三方活栓２０７によって包装体３０の表面側および裏面側のそれぞれの壁部（シート材）が損傷（破損）してしまうことを防止でき、これにより、カテーテル２０を好適に保持することができ、そのカテーテル２０を好適な状態で、搬送、保管することができる。さらに、複数個のカテーテルセット１００が箱（収納容器）に収納されているとき、所定のカテーテルセット１００をその箱から取り出す際に、保持部３により、隣接する他のカテーテルセット１００の三方活栓２０７や所定の部材に三方活栓２０７が引っ掛かってしまうことを防止でき、その取り出し作業を容易かつ迅速に行うことができる。
【００５６】
図１および図２に示すように、保持部３の基端側には、保持部３の先端部３１が差し込まれ、保持部３が三方活栓２０７を覆った状態（保持した状態）を保持する被差込部として、スリット５が設けられている。このスリット５は、シート材１０の一部を、シート材１０の幅方向に沿って直線状（所望の形状）に切り込むことにより形成したものである。このスリット５により、保持部３が三方活栓２０７を覆った状態を確実に保持することができる。
【００５７】
ここで、台紙１に保持されているカテーテル２０を台紙１から取り出す際は、ハブ２０２を把持し、そのカテーテル２０を基端方向に引き抜く。
【００５８】
図３および図４に示すように、保持部３の先端部３１は、保持部３が三方活栓２０７を覆った状態で、スリット５に差し込まれ、カテーテル２０を台紙１から取り出す際に引き抜く方向と反対側、すなわち、先端側に向って折り返される。これにより、カテーテルセット１００の台紙１からカテーテル２０を取り出す際、保持部３の先端部３１が包装体３０に引っ掛かってしまうことを防止でき、これによって、保持部３の先端部３１がスリット５から円滑かつ確実に抜け、その取り出し作業を容易かつ迅速に行うことができる。
【００５９】
さらに、保持状態の台紙１を包装体３０に挿入する際は、包装体３０の先端部から、台紙１を基端方向に押し込むようになっているが、保持部３の先端部３１が先端側（押し込む方向と反対側）に向って折り返されているので、その保持状態の台紙１を包装体３０に挿入する際、保持部３の先端部３１が包装体３０に引っ掛かってしまうことを防止でき、その挿入作業を容易かつ迅速に行うことができる。
【００６０】
また、図２に示すように、保持部３の先端部３１の幅（図２中上下方向の長さ）は、先端側から基端側に向って漸増している。あるいは、保持部３の先端部３１の幅は、先端側から基端側に向って漸増しておらずとも先端部３１の先端側が先端部３１の基端側より小さくなっている。これにより、保持部３の先端部３１をスリット５に、容易かつ円滑に差し込むことができる。
【００６１】
また、図２および図３に示すように、保持部３の先端部３１には、チューブ２０６が挿通可能で、先端部３１の先端に開放した孔３２が形成されている。これにより、チューブ２０６の通路を確保することができる。なお、孔３２は、完全に切り欠かれた開口部であってもよいが、一部が台紙１と繋がった状態で残っていてもよく、この場合、台紙１の孔３２の紙片をごみとして処理する必要がなくなる。
【００６２】
また、図２および図４に示すように、保持部３は、２つの壁部３３を有している。これらの壁部３３は、保持部３の幅方向（図２中上下方向）の両縁部に立設されている。各壁部３３は、それぞれ、保持部３の幅方向の縁部を折り曲げて形成されたものである。各壁部３３がそれぞれ形成されていることにより、保持部３が補強される。さらに、保持部３で三方活栓２０７をより確実に保持することができる。
【００６３】
なお、壁部３３は、図示の構成では保持部３の幅方向の両縁部にそれぞれ設けられているが、これに限定されず、例えば、一方の縁部にのみ設けられていてもよい。
【００６４】
図２に示すように、この保持部３は、シート材１０の一部を短冊状（所望の形状）に切り込むことにより形成したものである。これにより、保持部３を別体で構成するよりも容易に形成することができる。保持部３を別体で構成するよりも製造コストが低くなるという利点もある。また、保持部３と本体部１１とが一体化しているので、台紙１を扱い易いという利点がある。
なお、保持部３を別体で構成してもよいことは、言うまでもない。
【００６５】
台紙１の表面（カテーテル２０が載置される側の面）には、樹脂材料で構成された図示しない樹脂層が形成（コート）されているのが好ましい。樹脂層の構成材料としては、特に限定されないが、例えば、ＰＴＦＥ（ポリテトラフルオロエチレン）等のフッ素系樹脂、ポリアミド、ポリイミド、ポリエチレン、ポリプロピレン等のポリオレフィン、ポリエチレンテレフタレート、ポリブチレンテレフタレート等のポリエステル、ポリウレタン、ポリスチレン、ポリカーボネート、シリコーン樹脂、ポリエーテルイミド等が挙げられるが、このなかでもフッ素系樹脂またはポリオレフィンのような低摩擦材料が好ましい。
【００６６】
樹脂層が形成されていることにより、台紙１からカテーテル２０を基端方向に引き抜いて取り出す際、それらの摩擦抵抗（摺動抵抗）が小さくなり、その取り出し作業を円滑に行うことができる。または、台紙１の表面に樹脂層が形成されていなくとも、台紙１の表面に微小な凹凸を設けて低摩擦表面を実現することができる。
【００６７】
なお、樹脂層は、台紙１の表面および裏面のそれぞれに形成されていてもよい。
また、樹脂層は、台紙１の表面および裏面のいずれにも形成されていなくてもよい。
【００６８】
また、台紙１（シート材１０）の厚さｔは、０．２０〜０．５５ｍｍであるのが好ましく、０．３〜０．５ｍｍであるのがより好ましい。これにより、例えば、各タブ７ａ〜７ｆが第２のカテーテル２０ｂに対して適度な挟持力（保持力）を得る。
【００６９】
カテーテルセット１００の台紙１に保持されているカテーテル２０を台紙１から取り出す際は、例えば、まず、包装体３０の基端部を剥離して開口部を形成し、台紙１を把持し、その開口部から台紙１を基端方向に少し引き出す（取り出す）。
【００７０】
次に、カテーテル２０のハブ２０２を把持し、そのカテーテル２０を基端方向（保持部３の先端部３１が折り返されている方向と反対方向）に引き抜く。この際、チューブ２０６を介して三方活栓２０７が基端方向に引っ張られ、これにより、保持部３の先端部３１がスリット５から抜け、三方活栓２０７は、基端方向に移動する。このようにして、台紙１からカテーテル２０が取り出される。
【００７１】
前述したように、保持部３の先端部３１は、台紙１の裏面で先端側（カテーテル２０を台紙１から取り出す際に引き抜く方向と反対側）に向って折り返されているので、前記三方活栓２０７が基端方向に引っ張られ、その三方活栓２０７により保持部３の先端部３１がスリット５から抜ける際、保持部３の先端部３１が包装体３０に引っ掛かってしまうことを防止でき、これによって、保持部３の先端部３１がスリット５から円滑かつ確実に抜け、その取り出し作業を容易かつ迅速に行うことができる。
【００７２】
なお、この第１実施形態における保持部３の先端部３１の構成は、後述する第２実施形態における保持部に適用することができる。
【００７３】
ここで、カテーテルセット（医療用具セット）１００は、図１２（ａ）に示すように、包装体３０に設けられたポケット（収納部）５０を有していてもよい。なお、以下では、説明の都合上、図１２（ａ）および図１２（ｂ）中の右側を「基端」、左側を「先端」と言う。
【００７４】
ポケット５０の位置は、特に限定されないが、図示の構成では、ポケット５０は、包装体３０の先端部に設けられている。そして、ポケット５０の基端側に、挿入・取出口として機能する開口部５０１が形成されている。なお、複数のポケット５０が設けられていてもよい。
【００７５】
これにより、ポケット５０に、例えば、メスや針等の所定の付属品を、例えば、所定の収納袋９０等に収納した状態で、収納することができ、利便性が高い。
【００７６】
また、カテーテルセット（医療用具セット）１００は、図１２（ｂ）に示すように、前記付属品が収納された収納袋９０を保持し得る帯体（保持部）６０を有していてもよい。帯体６０は、包装体３０の外周に、その周方向に沿って巻き付けられ、環状をなしている。帯体６０の具体例としては、例えば、熨斗（のし）状の紙片等が挙げられる。
【００７７】
帯体６０の位置は、特に限定されないが、図示の構成では、帯体６０は、包装体３０の長手方向の中央部に設けられている。なお、帯体６０は、摩擦抵抗で包装体３０に固定されていてもよく、また、帯体６０の一部が、包装体３０に、融着または接着等により固着されていてもよい。また、複数の帯体６０が設けられていてもよい。
【００７８】
＜第２実施形態＞
図５は、本発明の医療用具保持台紙の第２実施形態を示す展開図（平面図）、図６は、図５に示す医療用具保持台紙の保持部の近傍を示す展開図（平面図）、図７は、図５に示す医療用具保持台紙の使用状態を示す平面図、図８は、図５に示す医療用具保持台紙の使用状態であって、保持部の近傍を示す平面図、図９は、図５に示す医療用具保持台紙の使用状態であって、保持部の近傍を示す側面図である。
【００７９】
なお、以下では、説明の都合上、図５〜図９中の右側を「先端」、左側を「基端」と言う。また、図５〜図８中の紙面手前側（表）を「表」、紙面奥側（裏）を「裏」と言い、図９中の上側を「表」、下側を「裏」と言う。
【００８０】
また、図６中の破線は谷折りをする部分を示し、実線は、切り込まれた部分を示す。
また、図５および図６中の斜線が施されている部分は、貫通した孔（開口）を示している。
【００８１】
以下、本発明の医療用具保持台紙および医療用具の取り出し方法の第２実施形態について説明するが、前述した第１実施形態との相違点を中心に説明し、同様の事項はその説明を省略する。
【００８２】
図５〜図９に示す医療用具保持台紙（以下単に「台紙」と言う）１は、未使用状態の２つ（複数）のカテーテル（医療用具）２０ａおよび２０ｂを保持することができるものである。
【００８３】
カテーテル２０ａおよび２０ｂは、これらを組み立てた状態（組立状態）、すなわち、カテーテル２０ａにカテーテル２０ｂを挿入した状態で用いられるカテーテル組立体である。
【００８４】
カテーテル２０ａは、前記第１実施形態におけるカテーテル２０と同様のものであり、可撓性を有するカテーテル本体（線状部）（長尺部）２０１ａと、カテーテル本体２０１ａの基端部に設けられ、ポート部２０２１ａを有するハブ２０２ａと、カテーテル本体２０１ａの基端側、すなわち、ハブ２０２ａのポート部２０２１ａに接続された可撓性を有するチューブ（線状部）２０６と、チューブ２０６の先端部に設けられた三方活栓（接続部材）（立体構造をなす構造体）２０７とを備えている。
【００８５】
カテーテル本体２０１ａは、その内径が後述するカテーテル２０ｂのカテーテル本体２０１ｂの外径とほぼ同じか外径より大きいものである。これにより、組立状態（カテーテル組立体）とするとき、カテーテル本体２０１ａ内にカテーテル本体２０１ｂを挿入することができる。
【００８６】
また、カテーテル２０ｂは、可撓性を有するカテーテル本体（線状部）（長尺部）２０１ｂと、カテーテル本体２０１ｂの基端部に設けられたハブ２０２ｂとを備えている。
【００８７】
カテーテル本体２０１ｂは、長尺なチューブ（中空管）で構成されている。
カテーテル本体２０１ｂの基端部には、硬質樹脂材料で構成されたハブ２０２ｂが固定されて（接続されて）いる。このハブ２０２ｂは、カテーテル本体２０１ｂよりも外径および内径が大きい筒体で構成され、その内腔がカテーテル本体２０１ｂと連通している。
【００８８】
カテーテル本体２０１ｂの構成材料としては、特に限定されず、前記第１実施形態におけるカテーテル２０と同様のものを用いることができる。なお、カテーテル本体２０１ａの構成材料とカテーテル本体２０１ｂの構成材料とを例えば適宜選択することにより、カテーテル本体２０１ａとカテーテル本体２０１ｂとの剛性を異ならせることができる。
【００８９】
図５〜図９に示すように、台紙１は、カテーテル２０ａおよび２０ｂが載置される長尺な本体部１１と、カテーテル２０ａのカテーテル本体２０１ａおよびハブ２０２ａを保持する保持部２と、保持部２と異なる位置に設けられ、三方活栓２０７を保持する保持部３と、保持部２および保持部３と異なる位置に設けられ、カテーテル２０ｂのカテーテル本体２０１ｂおよびハブ２０２ｂを保持する保持部６とを備えている。
【００９０】
保持部２の構成は、第１実施形態における保持部２と同様であるので、その説明は省略する。
【００９１】
保持部２の図５〜図７中下側には、保持部２に隣接して、保持部６が設けられている。このような配置により、カテーテル２０ａとカテーテル２０ｂとを並べて保持することができ、よって、各カテーテルをそれぞれ取り出す際の作業が容易となる。
【００９２】
この保持部６は、保持部２と同様に、８つのタブ７ａ、７ｂ、７ｃ、７ｄ、７ｅ、７ｆ、７ｇ、７ｈを有しており、７ａ〜７ｈのうち、タブ７ａ〜７ｄは、図５中上側に向かって突出しており、タブ７ｅ〜７ｈは、図５中下側に向かって突出している。また、タブ７ａとタブ７ｅとが１つのタブ対７０を構成し、タブ７ｂとタブ７ｆとが１つのタブ対７０を構成し、タブ７ｃとタブ７ｇとが１つのタブ対７０を構成し、タブ７ｄとタブ７ｈとが１つのタブ対７０を構成している。
【００９３】
また、保持部６は、シート材１０のタブ７ａおよび７ｅの基端側に形成された開口（孔）６１を有している。図７に示すように、開口６１は、その形状が四角形（長尺状）をなし、カテーテル２０ｂのハブ２０２ｂが挿入される（受け入れられる）部位である。これにより、カテーテル２０ｂのハブ２０２ｂが確実に保持される。
【００９４】
図５〜図９に示すように、スリット５の基端側、すなわち、シート材１０の長手方向の基端部には、三方活栓２０７を保持する保持部３が設けられている。このような配置により、カテーテル２０ａを円滑に取り出ことができる。なお、保持部３については、図５および図６中の右側を「基端」、左側を「先端」と言う。
【００９５】
また、保持部３の基端部３４の先端側（図５および図６中の左側）には、２つのタブ８１、８２が形成されている。タブ８１は、図５および図６中の右上側に向かって突出しており、８２は、図５および図６中の左下に向かって突出している。図７〜図９に示すように、各タブ８１、８２と、保持部３の基端部３４との間で、固定部材８０を挟持することができる。これにより、固定部材８０を確実に保持することができる。
【００９６】
なお、固定部材８０は、組立状態（カテーテル組立体）としたとき、そのカテーテル２０ａとカテーテル２０ｂとを互いに固定する部材である。この固定部材８０は、丸みを帯びているので、保持部３で固定部材８０を覆わなくても、その固定部材８０によって包装体３０を破損させてしまうことはない。
【００９７】
保持部３の先端部３１は、シート材１０の長手方向に沿って、先端側から基端側に向って順に、第１領域３１１、第２領域３１２および第３領域３１３を有している。
【００９８】
第３領域３１３は、開口（孔）３６を有している。図７〜図９に示すように、開口３６は、その形状が四角形（長尺状）をなし、保持部３が三方活栓２０７を覆った状態（保持した状態）で、保持されている固定部材８０が、その開口３６内に位置するように構成されている。これにより、保持部３が三方活栓２０７を覆った状態で、固定部材８０によって第３領域３１３が極端に嵩高くなってしまうことを防止できる。
第２領域３１２は、第１実施形態と同様に、２つの壁部３３を有している。
【００９９】
第１領域３１１は、保持部３の幅方向の両側に、それぞれ、スリット５に差し込まれる差込部３８を有し、この２つの差込部３８の間に、スリット５に差し込まれない中央部３７を有している。中央部３７および各差込部３８は、それぞれ、その形状が四角形（長尺状）をなしている。また、各差込部３８の長手方向の長さは、同一である。そして、中央部３７の長手方向の長さは、各差込部３８よりも長く設定され、中央部３７の先端部が、各差込部３８の先端部よりも先端側に突出している。なお、中央部３７の長手方向の長さは、各差込部３８の長手方向の長さよりも短くてもよい。中央部３７および／または各差込部３８は、その幅が基端側から先端側に向って幅狭になっていてもよく、それらの先端側が丸みを帯びていてもよい。
【０１００】
次に、保持部３により三方活栓２０７を保持する際の手順について説明する。
図７〜図９に示すように、保持部３により三方活栓２０７を保持する際は、三方活栓２０７を保持部３の基端部３４の表面側に配置する。
【０１０１】
次に、先端部３１を基端部３４に対して谷折り部８３（図６参照）で折り曲げ、さらに、先端部３１の第１領域３１１の各差込部３８を所定部位で折り曲げ、スリット５に差し込む。
【０１０２】
ここで、台紙１に保持されたカテーテル２０ａを台紙１から取り出す際は、カテーテル本体２０１ａの先端部を把持し、そのカテーテル２０ａを先端方向（図７〜図９中右側）に引き抜く。
【０１０３】
したがって、各差込部３８は、カテーテル２０を台紙１から取り出す際に引き抜く方向と反対側、すなわち、基端側（図９中左側）に向って折り返される。
【０１０４】
一方、中央部３７は、スリット５に差し込まず、スリット５の先端側の本体部１１の表面側に配置させる。
【０１０５】
このようにして、三方活栓２０７は、保持部３により、側面側を除き、全体が包まれる（覆われる）。すなわち、保持部３により、シート材１０（カテーテル本体２０１ａ）の長手方向に沿って、三方活栓２０７の全体が包まれる。
【０１０６】
カテーテルセット１００の台紙１に保持されているカテーテル２０ａを台紙１から取り出す際は、例えば、まず、包装体３０の基端部を剥離して開口部を形成し、台紙１を把持し、その開口部から台紙１の保持部３を含む部分を基端方向に少し引き出す。
【０１０７】
次に、カテーテル２０ａのハブ２０２ａを把持し、そのカテーテル２０ａのカテーテル本体２０１ａを引き抜く。この際、チューブ２０６を介して三方活栓２０７が先端方向に引っ張られるようにハブ２０２ａを上方に引き上げると、保持部３の先端部３１の各差込部３８がスリット５から抜け、三方活栓２０７は、先端方向に移動する。このようにして、台紙１からカテーテル２０ａが取り出される。
【０１０８】
この台紙１によれば、前述した第１実施形態と同様の効果が得られる。
なお、この第２実施形態における保持部の先端部の構成は、前記第１実施形態および後述する第３実施形態における保持部に適用することができる。
【０１０９】
＜第３実施形態＞
図１０は、本発明の医療用具保持台紙の第３実施形態の主要部を示す展開図（平面図）、図１１は、図１０に示す医療用具保持台紙の使用状態であって、主要部を示す平面図である。
【０１１０】
なお、以下では、説明の都合上、図１０および図１１中の右側を「先端」、左側を「基端」と言う。また、図１０および図１１中の紙面手前側（表）を「表」、紙面奥側（裏）を「裏」と言う。
【０１１１】
また、図１０中の破線は谷折りをする部分を示し、実線は、切り込まれた部分を示し、斜線が施されている部分は、貫通した孔（開口）を示している。
【０１１２】
以下、本発明の医療用具保持台紙および医療用具の取り出し方法の第３実施形態について説明するが、前述した第１実施形態との相違点を中心に説明し、同様の事項はその説明を省略する。
【０１１３】
まず、第３実施形態において、医療用具保持台紙（以下単に「台紙」と言う）に保持されるカテーテル２０のカテーテル本体２０１の先端部２０３は、外力を付与しない状態で、所望の形状に湾曲（湾曲変形）している。図示の構成では、先端部（変形部）２０３は、外力を付与しない状態で螺旋状（複数のループ状）に湾曲しており、これにより、螺旋形状部（立体構造の構造体）が形成されている。
【０１１４】
なお、前記先端部２０３は、湾曲している場合に限らず、屈曲（屈曲変形）して立体構造の構造体が形成されていてもよく、また、湾曲および屈曲して立体構造の構造体が形成されていてもよい。
【０１１５】
図１０および図１１に示すように、台紙１は、第１実施形態の構成要素に加え、さらに、カテーテル２０のカテーテル本体２０１の先端部２０３を保持する保持部９を備えている。保持部９は、保持部２の先端側に配置されている。
【０１１６】
この保持部９の構成は、第１実施形態における保持部３と同様である。すなわち、保持部９は、２つの壁部９３を有し、また、保持部９の先端部９１には、チューブ２０６が挿通可能で、先端部９１の先端に開放した孔９２が形成されている。
【０１１７】
この台紙１によれば、前述した第１実施形態と同様の効果が得られる。
そして、この台紙１では、さらに、保持部９により、カテーテル本体２０１の先端部２０３によって包装体３０の表面側および裏面側のそれぞれの壁部（シート材）が損傷（破損）してしまうことを防止することができる。
【０１１８】
なお、カテーテル本体（線状部）２０１の先端部２０３の構造体としては、そのカテーテル本体２０１で構成したものに限らず、別部材で構成してもよい。具体例としては、例えば、アテレクトミーカテーテルにおける血管等の管状の器官の内腔を狭窄または閉塞する閉塞物を掘削して除去する除去部材、同様に、血管内血栓異物除去用カテーテルの除去部材、持続硬膜外麻酔カテーテルのシース部材、電極カテーテルの電極部材、アブレーションカテーテルのアブレーション部材、オクルージョンカテーテルのオクルージョン部材等が挙げられる。
【０１１９】
また、カテーテル（医療用具）２０における三方活栓（接続部）（立体構造をなす構造体）２０７や、さらには、チューブ（線状部）２０６が省略されていてもよく、この場合は、その三方活栓用の保持部３を省略することができる。
【０１２０】
また、前記２つの保持部３および９を、それぞれ、前記第２実施形態における保持部に変更してもよく、また、前記２つの保持部のうちのいずれか一方を、前記第２実施形態における保持部に変更してもよい。
【０１２１】
また、前記２つの保持部３および９に、それぞれ、前記第２実施形態における保持部の先端部の構成を適用してもよく、また、前記２つの保持部３および９のうちの一方に、前記第１実施形態における先端部の構成を適用し、他方に、前記第２実施形態における保持部の先端部の構成を適用してもよい。
【０１２２】
以上、本発明の医療用具保持台紙および医療用具の取り出し方法を図示の実施形態に基づいて説明したが、本発明は、これに限定されるものではなく、医療用具保持台紙を構成する各部は、同様の機能を発揮し得る任意の構成のものと置換することができる。また、任意の構成物や工程が付加されていてもよい。
【０１２３】
また、本発明は、前記各実施形態のうちの、任意の２以上の構成（特徴）を組み合わせたものであってもよい。
【０１２４】
また、前記実施形態では、立体構造をなす構造体を保持する保持部は、１つまたは２つ設けられているが、本発明では、その保持部は、３つ以上設けられていてもよい。
【０１２５】
また、本発明の医療用具保持台紙に保持される医療用具としては、前記実施形態で記載したようなカテーテルに限らず、例えば、線状部が中実のものであってもよい。また、前記カテーテルの他の具体例としては、例えば、ガイドワイヤ、シース、ダイレータ等が挙げられる。
【図面の簡単な説明】
【０１２６】
【図１】本発明の医療用具保持台紙の第１実施形態を示す展開図（平面図）である。
【図２】図１に示す医療用具保持台紙の保持部の近傍を示す展開図（平面図）である。
【図３】図１に示す医療用具保持台紙の使用状態を示す平面図である。
【図４】図１に示す医療用具保持台紙の使用状態であって、保持部の近傍を示す側面図である。
【図５】本発明の医療用具保持台紙の第２実施形態を示す展開図（平面図）である。
【図６】図５に示す医療用具保持台紙の保持部の近傍を示す展開図（平面図）である。
【図７】図５に示す医療用具保持台紙の使用状態を示す平面図である。
【図８】図５に示す医療用具保持台紙の使用状態であって、保持部の近傍を示す平面図である。
【図９】図５に示す医療用具保持台紙の使用状態であって、保持部の近傍を示す側面図である。
【図１０】は、本発明の医療用具保持台紙の第３実施形態の主要部を示す展開図（平面図）である。
【図１１】図１０に示す医療用具保持台紙の使用状態であって、主要部を示す平面図である。
【図１２】本発明の医療用具保持台紙を有する医療用具セットの他の構成例を模式的に示す斜視図である。
【符号の説明】
【０１２７】
１            台紙（医療用具保持台紙）
１１          本体部
２            保持部
２１          開口
３            保持部
３１          先端部
３１１        第１領域
３１２        第２領域
３１３        第３領域
３２          孔
３３          壁部
３４          基端部
３６          開口
３７          中央部
３８          差込部
４ａ〜４ｈ    タブ
４０          タブ対
５            スリット
６            保持部
６１          開口
７ａ〜７ｈ    タブ
７０          タブ対
８１、８２    タブ
８３          谷折り部
９            保持部
９１          先端部
９２          孔
９３          壁部
１０          シート材
１００        カテーテルセット（医療用具セット）
２０、２０ａ、２０ｂ  カテーテル
２０１、２０１ａ、２０１ｂ  カテーテル本体
２０２、２０２ａ、２０２ｂ  ハブ
２０２１、２０２１ａ  ポート部
２０３        先端部
２０６        チューブ
２０７        三方活栓
３０          包装体
５０          ポケット
５０１          開口部
６０          帯体
８０          固定部材
９０          収納袋
【図１】
2010029558.tif 000003
【図２】
2010029558.tif 000004
【図３】
2010029558.tif 000005
【図４】
2010029558.tif 000006
【図５】
2010029558.tif 000007
【図６】
2010029558.tif 000008
【図７】
2010029558.tif 000009
【図８】
2010029558.tif 000010
【図９】
2010029558.tif 000011
【図１０】
2010029558.tif 000012
【図１１】
2010029558.tif 000013
【図１２】
2010029558.tif 000014